【手続補正書】
【提出日】平成26年12月24日(2014.12.24)
【手続補正１】
【補正対象書類名】特許請求の範囲
【補正対象項目名】全文
【補正方法】変更
【補正の内容】
【特許請求の範囲】
【請求項１】
複数の画像形成装置と携帯端末とを含む印刷システムであって、
前記携帯端末は、
印刷データが格納されている画像形成装置の画像形成装置識別情報を管理する画像形成装置へ、画像形成装置識別情報を問合わせする問合せ手段と、
前記問合わせにより、印刷データが格納されている画像形成装置の画像形成装置識別情報を受信する画像形成装置識別情報受信手段と、
前記画像形成装置識別情報受信手段により受信した画像形成装置識別情報に従って、印刷データが格納されている画像形成装置に印刷データの一覧を要求する印刷データ一覧要求手段と、
前記要求により得られた印刷データの一覧を表示する表示制御手段と
を備え、
前記表示制御手段は、当該携帯端末で出力先の画像形成装置が指定されていない場合に、前記表示された印刷データが印刷されないように印刷指示ボタンの操作を抑止し、当該携帯端末で出力先の画像形成装置が指定された場合に、前記表示された印刷データが印刷されるように印刷指示ボタンの操作を有効にすることを特徴とし、
前記画像形成装置は、
他の画像形成装置に印刷データが格納されたことにより当該他の画像形成装置から通知された、前記他の画像形成装置の画像形成装置識別情報を管理する管理手段と、
前記携帯端末から画像形成装置識別情報の問合わせがあった場合に、前記管理手段で管理する画像形成装置識別情報を前記携帯端末に送信する画像形成装置識別情報送信手段と
を備えることを特徴とする印刷システム。
【請求項２】
前記印刷データの一覧は、印刷データを印刷可能な画像形成装置を特定可能な第１の機器情報を含み、
前記表示制御手段は、前記第１の機器情報と前記指定された出力先の画像形成装置の第２の機器情報とに応じて、出力可能な印刷データを選択可能に印刷データの一覧を表示することを特徴とする請求項１の印刷システム。
【請求項３】
前記携帯端末は、
出力する画像形成装置で表示される前記第２の機器情報を含む画像を読み取り、前記第２の機器情報を取得する機器情報取得手段を更に備え、
前記指定された出力先の画像形成装置の第２の機器情報は、前記機器情報取得手段により取得された第２の機器情報であることを特徴とする請求項２に記載の印刷システム。
【請求項４】
前記画像形成装置は、
前記携帯端末からユーザ情報を受信するユーザ情報受信手段を更に備え、
前記画像形成装置識別情報送信手段は、前記携帯端末から画像形成装置識別情報の問合わせがあった場合に、前記ユーザ情報受信手段により受信したユーザ情報に対応する印刷データが格納されている画像形成装置の画像形成装置識別情報を送信し、他の画像形成装置から画像形成装置識別情報の問合わせがあった場合に、当該他の画像形成装置で印刷可能な印刷データが格納されている画像形成装置識別情報を送信することを特徴とする請求項１乃至３のいずれか１項に記載の印刷システム。
【請求項５】
前記印刷データの一覧は、印刷データの印刷データ識別情報を含み、
前記携帯端末は、
前記印刷データの一覧から所定の印刷データを選択する選択手段と、
操作が有効な前記印刷指示ボタンが指定された場合に、前記選択手段により選択された印刷データの印刷データ識別情報を含む出力要求を、前記指定された出力先の画像形成装置に送信する出力要求手段とを更に備えることを特徴とする請求項１乃至４にいずれか１項に記載の印刷システム。
【請求項６】
複数の画像形成装置と携帯端末とを含む印刷システムの制御方法であって、
前記携帯端末は、
印刷データが格納されている画像形成装置の画像形成装置識別情報を管理する画像形成装置へ、画像形成装置識別情報を問合わせする問合せステップと、
前記問合わせにより、印刷データが格納されている画像形成装置の画像形成装置識別情報を受信する画像形成装置識別情報受信ステップと、
前記画像形成装置識別情報受信ステップにより受信した画像形成装置識別情報に従って、印刷データが格納されている画像形成装置に印刷データの一覧を要求する印刷データ一覧要求ステップと、
前記要求により得られた印刷データの一覧を表示する表示制御ステップと、
を含み、
前記表示制御ステップは、当該携帯端末で出力先の画像形成装置が指定されていない場合に、前記表示された印刷データが印刷されないように印刷指示ボタンの操作を抑止し、当該携帯端末で出力先の画像形成装置が指定された場合に、前記表示された印刷データが印刷されるように印刷指示ボタンの操作を有効にすることを特徴とし、
前記画像形成装置は、
他の画像形成装置に印刷データが格納されたことにより当該他の画像形成装置から通知された、前記他の画像形成装置の画像形成装置識別情報を管理する管理ステップと、
前記携帯端末から画像形成装置識別情報の問合わせがあった場合に、前記管理ステップで管理する画像形成装置識別情報を前記携帯端末に送信する画像形成装置識別情報送信ステップと
を含むことを特徴とする印刷システムの制御方法。
【請求項７】
複数の画像形成装置と携帯端末とを含む印刷システムのプログラムであって、
前記携帯端末であるコンピュータを、
印刷データが格納されている画像形成装置の画像形成装置識別情報を管理する画像形成装置へ、画像形成装置識別情報を問合わせする問合せ手段、
前記問合わせにより、印刷データが格納されている画像形成装置の画像形成装置識別情報を受信する画像形成装置識別情報受信手段、
前記画像形成装置識別情報受信手段により受信した画像形成装置識別情報に従って、印刷データが格納されている画像形成装置に印刷データの一覧を要求する印刷データ一覧要求手段、
前記要求により得られた印刷データの一覧を表示する表示制御手段
として機能させ、
前記表示制御手段は、当該携帯端末で出力先の画像形成装置が指定されていない場合に、前記表示された印刷データが印刷されないように印刷指示ボタンの操作を抑止し、当該携帯端末で出力先の画像形成装置が指定された場合に、前記表示された印刷データが印刷されるように印刷指示ボタンの操作を有効にし、
前記画像形成装置であるコンピュータを、
他の画像形成装置に印刷データが格納されたことにより当該他の画像形成装置から通知された、前記他の画像形成装置の画像形成装置識別情報を管理する管理手段、
前記携帯端末から画像形成装置識別情報の問合わせがあった場合に、前記管理手段で管理する画像形成装置識別情報を前記携帯端末に送信する画像形成装置識別情報送信手段
として機能させるためのプログラム。
【請求項８】
複数の画像形成装置と通信可能な携帯端末であって、
印刷データが格納されている画像形成装置の画像形成装置識別情報を管理する画像形成装置へ、画像形成装置識別情報を問合わせする問合せ手段と、
前記問合わせにより、印刷データが格納されている画像形成装置の画像形成装置識別情報を受信する画像形成装置識別情報受信手段と、
前記画像形成装置識別情報受信手段により受信した画像形成装置識別情報に従って、印刷データが格納されている画像形成装置に印刷データの一覧を要求する印刷データ一覧要求手段と、
前記要求により得られた印刷データの一覧を表示する表示制御手段と
を備え、
前記表示制御手段は、当該携帯端末で出力先の画像形成装置が指定されていない場合に、前記表示された印刷データが印刷されないように印刷指示ボタンの操作を抑止し、当該携帯端末で出力先の画像形成装置が指定された場合に、前記表示された印刷データが印刷されるように印刷指示ボタンの操作を有効にする
ことを特徴とする携帯端末。
【請求項９】
複数の画像形成装置と通信可能な携帯端末の制御方法であって、
印刷データが格納されている画像形成装置の画像形成装置識別情報を管理する画像形成装置へ、画像形成装置識別情報を問合わせする問合せステップと、
前記問合わせにより、印刷データが格納されている画像形成装置の画像形成装置識別情報を受信する画像形成装置識別情報受信ステップと、
前記画像形成装置識別情報受信ステップにより受信した画像形成装置識別情報に従って、印刷データが格納されている画像形成装置に印刷データの一覧を要求する印刷データ一覧要求ステップと、
前記要求により得られた印刷データの一覧を表示する表示制御ステップと、
を含み、
前記表示制御ステップは、当該携帯端末で出力先の画像形成装置が指定されていない場合に、前記表示された印刷データが印刷されないように印刷指示ボタンの操作を抑止し、当該携帯端末で出力先の画像形成装置が指定された場合に、前記表示された印刷データが印刷されるように印刷指示ボタンの操作を有効にする
ことを特徴とする携帯端末の制御方法。
【請求項１０】
複数の画像形成装置と通信可能な携帯端末のプログラムであって、
前記携帯端末であるコンピュータを、
印刷データが格納されている画像形成装置の画像形成装置識別情報を管理する画像形成装置へ、画像形成装置識別情報を問合わせする問合せ手段、
前記問合わせにより、印刷データが格納されている画像形成装置の画像形成装置識別情報を受信する画像形成装置識別情報受信手段、
前記画像形成装置識別情報受信手段により受信した画像形成装置識別情報に従って、印刷データが格納されている画像形成装置に印刷データの一覧を要求する印刷データ一覧要求手段、
前記要求により得られた印刷データの一覧を表示する表示制御手段
として機能させ、
前記表示制御手段は、当該携帯端末で出力先の画像形成装置が指定されていない場合に、前記表示された印刷データが印刷されないように印刷指示ボタンの操作を抑止し、当該携帯端末で出力先の画像形成装置が指定された場合に、前記表示された印刷データが印刷されるように印刷指示ボタンの操作を有効にする
ためのプログラム。
【請求項１１】
印刷データが格納されている画像形成装置の画像形成装置識別情報を管理する画像形成装置へ、画像形成装置識別情報を問合わせする問合せ手段と、前記問合わせにより、印刷データが格納されている画像形成装置の画像形成装置識別情報を受信する画像形成装置識別情報受信手段と、前記画像形成装置識別情報受信手段により受信した画像形成装置識別情報に従って、印刷データが格納されている画像形成装置に印刷データの一覧を要求する印刷データ一覧要求手段と、前記要求により得られた印刷データの一覧を表示し、当該印刷データを印刷指示可能な印刷指示ボタンを表示する表示制御手段とを備える携帯端末及び他の画像形成装置と通信可能な画像形成装置であって、
前記他の画像形成装置に印刷データが格納されたことにより当該他の画像形成装置から通知された、前記他の画像形成装置の画像形成装置識別情報を管理する管理手段と、
前記携帯端末から画像形成装置識別情報の問合わせがあった場合に、前記管理手段で管理する画像形成装置識別情報を前記携帯端末に送信する画像形成装置識別情報送信手段と
を備えることを特徴とする画像形成装置。
【請求項１２】
印刷データが格納されている画像形成装置の画像形成装置識別情報を管理する画像形成装置へ、画像形成装置識別情報を問合わせする問合せ手段と、前記問合わせにより、印刷データが格納されている画像形成装置の画像形成装置識別情報を受信する画像形成装置識別情報受信手段と、前記画像形成装置識別情報受信手段により受信した画像形成装置識別情報に従って、印刷データが格納されている画像形成装置に印刷データの一覧を要求する印刷データ一覧要求手段と、前記要求により得られた印刷データの一覧を表示し、当該印刷データを印刷指示可能な印刷指示ボタンを表示する表示制御手段とを備える携帯端末及び他の画像形成装置と通信可能な画像形成装置の制御方法であって、
前記他の画像形成装置に印刷データが格納されたことにより当該他の画像形成装置から通知された、前記他の画像形成装置の画像形成装置識別情報を管理する管理ステップと、
前記携帯端末から画像形成装置識別情報の問合わせがあった場合に、前記管理ステップで管理する画像形成装置識別情報を前記携帯端末に送信する画像形成装置識別情報送信ステップと
を含むことを特徴とする画像形成装置の制御方法。
【請求項１３】
印刷データが格納されている画像形成装置の画像形成装置識別情報を管理する画像形成装置へ、画像形成装置識別情報を問合わせする問合せ手段と、前記問合わせにより、印刷データが格納されている画像形成装置の画像形成装置識別情報を受信する画像形成装置識別情報受信手段と、前記画像形成装置識別情報受信手段により受信した画像形成装置識別情報に従って、印刷データが格納されている画像形成装置に印刷データの一覧を要求する印刷データ一覧要求手段と、前記要求により得られた印刷データの一覧を表示し、当該印刷データを印刷指示可能な印刷指示ボタンを表示する表示制御手段とを備える携帯端末及び他の画像形成装置と通信可能な画像形成装置のプログラムであって、
前記画像形成装置であるコンピュータを、
前記他の画像形成装置に印刷データが格納されたことにより当該他の画像形成装置から通知された、前記他の画像形成装置の画像形成装置識別情報を管理する管理手段、
前記携帯端末から画像形成装置識別情報の問合わせがあった場合に、前記管理手段で管理する画像形成装置識別情報を前記携帯端末に送信する画像形成装置識別情報送信手段
として機能させるためのプログラム。
【手続補正２】
【補正対象書類名】明細書
【補正対象項目名】発明の名称
【補正方法】変更
【補正の内容】
【発明の名称】印刷システム、印刷システムの制御方法、携帯端末、携帯端末の制御方法、画像形成装置、画像形成装置の制御方法、及びプログラム
【手続補正３】
【補正対象書類名】明細書
【補正対象項目名】０００７
【補正方法】変更
【補正の内容】
【０００７】
前述した課題を解決するための第１の発明は、複数の画像形成装置と携帯端末とを含む印刷システムであって、前記携帯端末は、印刷データが格納されている画像形成装置の画像形成装置識別情報を管理する画像形成装置へ、画像形成装置識別情報を問合わせする問合せ手段と、前記問合わせにより、印刷データが格納されている画像形成装置の画像形成装置識別情報を受信する画像形成装置識別情報受信手段と、前記画像形成装置識別情報受信手段により受信した画像形成装置識別情報に従って、印刷データが格納されている画像形成装置に印刷データの一覧を要求する印刷データ一覧要求手段と、前記要求により得られた印刷データの一覧を表示する表示制御手段とを備え、前記表示制御手段は、当該携帯端末で出力先の画像形成装置が指定されていない場合に、前記表示された印刷データが印刷されないように印刷指示ボタンの操作を抑止し、当該携帯端末で出力先の画像形成装置が指定された場合に、前記表示された印刷データが印刷されるように印刷指示ボタンの操作を有効にすることを特徴とし、前記画像形成装置は、他の画像形成装置に印刷データが格納されたことにより当該他の画像形成装置から通知された、前記他の画像形成装置の画像形成装置識別情報を管理する管理手段と、前記携帯端末から画像形成装置識別情報の問合わせがあった場合に、前記管理手段で管理する画像形成装置識別情報を前記携帯端末に送信する画像形成装置識別情報送信手段とを備えることを特徴とする印刷システムである。
第１の発明により、画像形成装置識別情報を取得した場合にのみ印刷可能にすることにより、セキュリティを高めて、且つ、携帯端末からの印刷において利便性を高めて、印刷データの一覧に表示された印刷データの印刷処理を行うことができる。特に、画像形成装置の近くに行った際に印刷指示を可能にすることで、携帯端末における離れたところから操作できるという利便性を確保するとともに、携帯端末でなされる遠隔からの印刷指示による情報漏洩につながる印刷を効果的に防ぐことができる。
【手続補正４】
【補正対象書類名】明細書
【補正対象項目名】０００８
【補正方法】変更
【補正の内容】
【０００８】
前記印刷データの一覧は、印刷データを印刷可能な画像形成装置を特定可能な第１の機器情報を含み、前記表示制御手段は、前記第１の機器情報と前記指定された出力先の画像形成装置の第２の機器情報とに応じて、出力可能な印刷データを選択可能に印刷データの一覧を表示することが望ましい。
これにより、出力可能な印刷データを選択可能に印刷データの一覧を表示することができるので、携帯端末からの印刷において利便性を高めて、印刷処理を行うことができる。
【手続補正５】
【補正対象書類名】明細書
【補正対象項目名】０００９
【補正方法】変更
【補正の内容】
【０００９】
前記携帯端末は、出力する画像形成装置で表示される前記第２の機器情報を含む画像を読み取り、前記第２の機器情報を取得する機器情報取得手段を更に備え、前記指定された出力先の画像形成装置の第２の機器情報は、前記機器情報取得手段により取得された第２の機器情報であることが望ましい。
これにより、例えばＱＲコード（登録商標）（Quick Response Code）等の画像を読み取ることで第２の機器情報を簡便に取得することができる。特に、画像形成装置が自身のIPアドレスと機種情報からＱＲコード（登録商標）を発行し、携帯端末で読み取ることができるため、印刷する画像形成装置の指定のミスがへり、印刷ミスを減らすことができる。また、印刷する画像形成装置の指定のミスにより、離れた場所にある印刷する画像形成装置への印刷がなくなり、印刷物の放置による情報漏洩のリスクを減らすことができる。
【手続補正６】
【補正対象書類名】明細書
【補正対象項目名】００１０
【補正方法】変更
【補正の内容】
【００１０】
前記画像形成装置は、前記携帯端末からユーザ情報を受信するユーザ情報受信手段を更に備え、前記画像形成装置識別情報送信手段は、前記携帯端末から画像形成装置識別情報の問合わせがあった場合に、前記ユーザ情報受信手段により受信したユーザ情報に対応する印刷データが格納されている画像形成装置の画像形成装置識別情報を送信し、他の画像形成装置から画像形成装置識別情報の問合わせがあった場合に、当該他の画像形成装置で印刷可能な印刷データが格納されている画像形成装置識別情報を送信することが望ましい。
これにより、ユーザ情報に対応する印刷データが格納されている画像形成装置の画像形成装置識別情報を送信することができる。また、他の画像形成装置で印刷可能な印刷データが格納されている画像形成装置識別情報を送信することができる。
また、前記印刷データの一覧は、印刷データの印刷データ識別情報を含み、前記携帯端末は、前記印刷データの一覧から所定の印刷データを選択する選択手段と、操作が有効な前記印刷指示ボタンが指定された場合に、前記選択手段により選択された印刷データの印刷データ識別情報を含む出力要求を、前記指定された出力先の画像形成装置に送信する出力要求手段とを更に備えることが望ましい。
これにより、印刷データの一覧から選択された印刷データを、指定された出力先の画像形成装置に出力させることができる。
【手続補正７】
【補正対象書類名】明細書
【補正対象項目名】００１１
【補正方法】変更
【補正の内容】
【００１１】
第２の発明は、複数の画像形成装置と携帯端末とを含む印刷システムの制御方法であって、前記携帯端末は、印刷データが格納されている画像形成装置の画像形成装置識別情報を管理する画像形成装置へ、画像形成装置識別情報を問合わせする問合せステップと、前記問合わせにより、印刷データが格納されている画像形成装置の画像形成装置識別情報を受信する画像形成装置識別情報受信ステップと、前記画像形成装置識別情報受信ステップにより受信した画像形成装置識別情報に従って、印刷データが格納されている画像形成装置に印刷データの一覧を要求する印刷データ一覧要求ステップと、前記要求により得られた印刷データの一覧を表示する表示制御ステップと、を含み、前記表示制御ステップは、当該携帯端末で出力先の画像形成装置が指定されていない場合に、前記表示された印刷データが印刷されないように印刷指示ボタンの操作を抑止し、当該携帯端末で出力先の画像形成装置が指定された場合に、前記表示された印刷データが印刷されるように印刷指示ボタンの操作を有効にすることを特徴とし、前記画像形成装置は、他の画像形成装置に印刷データが格納されたことにより当該他の画像形成装置から通知された、前記他の画像形成装置の画像形成装置識別情報を管理する管理ステップと、前記携帯端末から画像形成装置識別情報の問合わせがあった場合に、前記管理ステップで管理する画像形成装置識別情報を前記携帯端末に送信する画像形成装置識別情報送信ステップとを含むことを特徴とする印刷システムの制御方法である。
第２の発明により、画像形成装置識別情報を取得した場合にのみ印刷可能にすることにより、セキュリティを高めて、且つ、携帯端末からの印刷において利便性を高めて、印刷データの一覧に表示された印刷データの印刷処理を行うことができる。特に、画像形成装置の近くに行った際に印刷指示を可能にすることで、携帯端末における離れたところから操作できるという利便性を確保するとともに、携帯端末でなされる遠隔からの印刷指示による情報漏洩につながる印刷を効果的に防ぐことができる。
【手続補正８】
【補正対象書類名】明細書
【補正対象項目名】００１２
【補正方法】変更
【補正の内容】
【００１２】
第３の発明は、複数の画像形成装置と携帯端末とを含む印刷システムのプログラムであって、前記携帯端末であるコンピュータを、印刷データが格納されている画像形成装置の画像形成装置識別情報を管理する画像形成装置へ、画像形成装置識別情報を問合わせする問合せ手段、前記問合わせにより、印刷データが格納されている画像形成装置の画像形成装置識別情報を受信する画像形成装置識別情報受信手段、前記画像形成装置識別情報受信手段により受信した画像形成装置識別情報に従って、印刷データが格納されている画像形成装置に印刷データの一覧を要求する印刷データ一覧要求手段、前記要求により得られた印刷データの一覧を表示する表示制御手段として機能させ、前記表示制御手段は、当該携帯端末で出力先の画像形成装置が指定されていない場合に、前記表示された印刷データが印刷されないように印刷指示ボタンの操作を抑止し、当該携帯端末で出力先の画像形成装置が指定された場合に、前記表示された印刷データが印刷されるように印刷指示ボタンの操作を有効にし、前記画像形成装置であるコンピュータを、他の画像形成装置に印刷データが格納されたことにより当該他の画像形成装置から通知された、前記他の画像形成装置の画像形成装置識別情報を管理する管理手段、前記携帯端末から画像形成装置識別情報の問合わせがあった場合に、前記管理手段で管理する画像形成装置識別情報を前記携帯端末に送信する画像形成装置識別情報送信手段として機能させるためのプログラムである。
第３の発明を汎用のコンピュータ及び携帯端末にインストールすることにより、第１の発明に係る印刷システムを得て、第２の発明に係る印刷システムの制御方法を実行することができる。
【手続補正９】
【補正対象書類名】明細書
【補正対象項目名】００１３
【補正方法】変更
【補正の内容】
【００１３】
第４の発明は、複数の画像形成装置と通信可能な携帯端末であって、印刷データが格納されている画像形成装置の画像形成装置識別情報を管理する画像形成装置へ、画像形成装置識別情報を問合わせする問合せ手段と、前記問合わせにより、印刷データが格納されている画像形成装置の画像形成装置識別情報を受信する画像形成装置識別情報受信手段と、前記画像形成装置識別情報受信手段により受信した画像形成装置識別情報に従って、印刷データが格納されている画像形成装置に印刷データの一覧を要求する印刷データ一覧要求手段と、前記要求により得られた印刷データの一覧を表示する表示制御手段とを備え、前記表示制御手段は、当該携帯端末で出力先の画像形成装置が指定されていない場合に、前記表示された印刷データが印刷されないように印刷指示ボタンの操作を抑止し、当該携帯端末で出力先の画像形成装置が指定された場合に、前記表示された印刷データが印刷されるように印刷指示ボタンの操作を有効にすることを特徴とする携帯端末である。
第４の発明により、画像形成装置識別情報を取得した場合にのみ印刷可能にすることにより、セキュリティを高めて、且つ、携帯端末からの印刷において利便性を高めて、印刷データの一覧に表示された印刷データの印刷処理を行うことができる。特に、画像形成装置の近くに行った際に印刷指示を可能にすることで、携帯端末における離れたところから操作できるという利便性を確保するとともに、携帯端末でなされる遠隔からの印刷指示による情報漏洩につながる印刷を効果的に防ぐことができる。
【手続補正１０】
【補正対象書類名】明細書
【補正対象項目名】００１４
【補正方法】変更
【補正の内容】
【００１４】
第５の発明は、複数の画像形成装置と通信可能な携帯端末の制御方法であって、印刷データが格納されている画像形成装置の画像形成装置識別情報を管理する画像形成装置へ、画像形成装置識別情報を問合わせする問合せステップと、前記問合わせにより、印刷データが格納されている画像形成装置の画像形成装置識別情報を受信する画像形成装置識別情報受信ステップと、前記画像形成装置識別情報受信ステップにより受信した画像形成装置識別情報に従って、印刷データが格納されている画像形成装置に印刷データの一覧を要求する印刷データ一覧要求ステップと、前記要求により得られた印刷データの一覧を表示する表示制御ステップと、を含み、前記表示制御ステップは、当該携帯端末で出力先の画像形成装置が指定されていない場合に、前記表示された印刷データが印刷されないように印刷指示ボタンの操作を抑止し、当該携帯端末で出力先の画像形成装置が指定された場合に、前記表示された印刷データが印刷されるように印刷指示ボタンの操作を有効にすることを特徴とする携帯端末の制御方法である。
第５の発明により、画像形成装置識別情報を取得した場合にのみ印刷可能にすることにより、セキュリティを高めて、且つ、携帯端末からの印刷において利便性を高めて、印刷データの一覧に表示された印刷データの印刷処理を行うことができる。特に、画像形成装置の近くに行った際に印刷指示を可能にすることで、携帯端末における離れたところから操作できるという利便性を確保するとともに、携帯端末でなされる遠隔からの印刷指示による情報漏洩につながる印刷を効果的に防ぐことができる。
【手続補正１１】
【補正対象書類名】明細書
【補正対象項目名】００１５
【補正方法】変更
【補正の内容】
【００１５】
第６の発明は、複数の画像形成装置と通信可能な携帯端末のプログラムであって、前記携帯端末であるコンピュータを、印刷データが格納されている画像形成装置の画像形成装置識別情報を管理する画像形成装置へ、画像形成装置識別情報を問合わせする問合せ手段、前記問合わせにより、印刷データが格納されている画像形成装置の画像形成装置識別情報を受信する画像形成装置識別情報受信手段、前記画像形成装置識別情報受信手段により受信した画像形成装置識別情報に従って、印刷データが格納されている画像形成装置に印刷データの一覧を要求する印刷データ一覧要求手段、前記要求により得られた印刷データの一覧を表示する表示制御手段として機能させ、前記表示制御手段は、当該携帯端末で出力先の画像形成装置が指定されていない場合に、前記表示された印刷データが印刷されないように印刷指示ボタンの操作を抑止し、当該携帯端末で出力先の画像形成装置が指定された場合に、前記表示された印刷データが印刷されるように印刷指示ボタンの操作を有効にするためのプログラムである。
第６の発明を汎用の携帯端末にインストールすることにより、第４の発明に係る携帯端末を得て、第５の発明に係る携帯端末の制御方法を実行することができる。
【手続補正１２】
【補正対象書類名】明細書
【補正対象項目名】００１６
【補正方法】変更
【補正の内容】
【００１６】
第７の発明は、印刷データが格納されている画像形成装置の画像形成装置識別情報を管理する画像形成装置へ、画像形成装置識別情報を問合わせする問合せ手段と、前記問合わせにより、印刷データが格納されている画像形成装置の画像形成装置識別情報を受信する画像形成装置識別情報受信手段と、前記画像形成装置識別情報受信手段により受信した画像形成装置識別情報に従って、印刷データが格納されている画像形成装置に印刷データの一覧を要求する印刷データ一覧要求手段と、前記要求により得られた印刷データの一覧を表示し、当該印刷データを印刷指示可能な印刷指示ボタンを表示する表示制御手段とを備える携帯端末及び他の画像形成装置と通信可能な画像形成装置であって、前記他の画像形成装置に印刷データが格納されたことにより当該他の画像形成装置から通知された、前記他の画像形成装置の画像形成装置識別情報を管理する管理手段と、前記携帯端末から画像形成装置識別情報の問合わせがあった場合に、前記管理手段で管理する画像形成装置識別情報を前記携帯端末に送信する画像形成装置識別情報送信手段とを備えることを特徴とする画像形成装置である。
第７の発明により、印刷データが格納された画像形成装置の画像形成装置識別情報を管理し、携帯端末から問合せがあった場合に送信することにより、セキュリティを高めて、且つ、携帯端末からの印刷において利便性を高めて、印刷データの印刷処理を行うことができる。
【手続補正１３】
【補正対象書類名】明細書
【補正対象項目名】００１７
【補正方法】変更
【補正の内容】
【００１７】
第８の発明は、印刷データが格納されている画像形成装置の画像形成装置識別情報を管理する画像形成装置へ、画像形成装置識別情報を問合わせする問合せ手段と、前記問合わせにより、印刷データが格納されている画像形成装置の画像形成装置識別情報を受信する画像形成装置識別情報受信手段と、前記画像形成装置識別情報受信手段により受信した画像形成装置識別情報に従って、印刷データが格納されている画像形成装置に印刷データの一覧を要求する印刷データ一覧要求手段と、前記要求により得られた印刷データの一覧を表示し、当該印刷データを印刷指示可能な印刷指示ボタンを表示する表示制御手段とを備える携帯端末及び他の画像形成装置と通信可能な画像形成装置の制御方法であって、前記他の画像形成装置に印刷データが格納されたことにより当該他の画像形成装置から通知された、前記他の画像形成装置の画像形成装置識別情報を管理する管理ステップと、前記携帯端末から画像形成装置識別情報の問合わせがあった場合に、前記管理ステップで管理する画像形成装置識別情報を前記携帯端末に送信する画像形成装置識別情報送信ステップとを含むことを特徴とする画像形成装置の制御方法である。
第８の発明により、印刷データが格納された画像形成装置の画像形成装置識別情報を管理し、携帯端末から問合せがあった場合に送信することにより、セキュリティを高めて、且つ、携帯端末からの印刷において利便性を高めて、印刷データの印刷処理を行うことができる。
【手続補正１４】
【補正対象書類名】明細書
【補正対象項目名】００１８
【補正方法】変更
【補正の内容】
【００１８】
第９の発明は、印刷データが格納されている画像形成装置の画像形成装置識別情報を管理する画像形成装置へ、画像形成装置識別情報を問合わせする問合せ手段と、前記問合わせにより、印刷データが格納されている画像形成装置の画像形成装置識別情報を受信する画像形成装置識別情報受信手段と、前記画像形成装置識別情報受信手段により受信した画像形成装置識別情報に従って、印刷データが格納されている画像形成装置に印刷データの一覧を要求する印刷データ一覧要求手段と、前記要求により得られた印刷データの一覧を表示し、当該印刷データを印刷指示可能な印刷指示ボタンを表示する表示制御手段とを備える携帯端末及び他の画像形成装置と通信可能な画像形成装置のプログラムであって、前記画像形成装置であるコンピュータを、前記他の画像形成装置に印刷データが格納されたことにより当該他の画像形成装置から通知された、前記他の画像形成装置の画像形成装置識別情報を管理する管理手段、前記携帯端末から画像形成装置識別情報の問合わせがあった場合に、前記管理手段で管理する画像形成装置識別情報を前記携帯端末に送信する画像形成装置識別情報送信手段として機能させるためのプログラムである。
第９の発明を汎用のコンピュータにインストールすることにより、第７の発明に係る画像形成装置を得て、第８の発明に係る画像形成装置の制御方法を実行することができる。